(57)【要約】      （修正有）【課題】携帯電話を胸のポケット等に入れておく際、ポケットから抜け落ちる事を防止し、なおかつ、ポケットから容易に取り出せるようにする。【解決手段】携帯電話１の背部にはさみ部３と、つまみ部４を備えたクリップ２を設ける。クリップ２には支点軸にばねを巻き付けている。つまみ部４をつまんだり、緩めたりして、はさみ部３を自在に開閉させ、ポケットなどの対象となる物に挟んで固定したり、外したりする。クリップ２で固定するので、ポケットから落ちることもない。【選択図】図１
2009017518.tif 000002
【特許請求の範囲】
【請求項１】
携帯電話に、クリップを装着させた、クリップ付き携帯電話
【請求項２】
携帯電話に、はさみ部とつまみ部を備えたクリップを装着させた、クリップ付き携帯電話
【請求項３】
携帯電話に、クリップを直角方向に装着させた、クリップ付き携帯電話
【請求項４】
携帯電話と、クリップとを一体に連結したり連結を解除したりする手段を携帯電話とクリップに設け、その手段によって両者を連結したり又は両者の連結を解除したりするようにした〔請求項１〕記載の携帯電話
【請求項５】
携帯電話と、クリップとを一体に連結したり連結を解除したりする手段を携帯電話とクリップに設け、その手段によって両者を連結したり又は両者の連結を解除したりするようにした〔請求項２〕記載の携帯電話
【請求項６】
携帯電話と、クリップとを一体に連結したり連結を解除したりする手段を携帯電話とクリップに設け、その手段によって両者を連結したり又は両者の連結を解除したりするようにした〔請求項３〕記載の携帯電話
【発明の詳細な説明】
【技術分野】
【０００１】      本発明は、携帯電話に関するものであり、携帯電話にクリップを装着することによ      って、携帯電話の取りまわしを良くしたものである。
【背景技術】
【０００２】      従来の携帯電話では、せいぜいストラップ１７の付いたものしかなかった（図８）      。また、首ひも１８を設けるぐらいであった（図９）。携帯電話の取りまわしを良      くするものとして、ベルトにホルダーを通しそこに収納するものなどがあった。
【発明の開示】
【発明が解決しようとする課題】
【０００３】      Ｙシャツや背広などの胸ポケットに携帯電話を入れると、何も固定する物がないの      で、お辞儀をしたり、動いたりすると、落ちてしまったり、移動してしまったりし      て不安定であった。又、ポケットの奥底に入り込んでしまい、取りだすのに苦労し      た。呼び出し音が鳴っても、すぐに取り出すことが難しかった。以上の欠点のため      、携帯電話を胸のポケットには入れず、首から吊るしたりズボンのポケツトに入れ      がちだった。しかし、扱いにくさや、煩わしさがあった。【０００４】      ベルトにホルダーを通し、そこに収納する方法もあるが、手間がかかり、美観を損      なうという欠点があった。また、携帯電話をベルトに対し、直角に固定するので、      しゃがんだり、座ったりする際、体にぶつかってしまい違和感があった。【０００５】      本発明が解決しようとする課題は、携帯電話をＹシャツなどの胸ポケットに入れて      も、落ちることもなく、移動してしまうこともないクリップ付き携帯電話を提供す      る点にある。また、収納部材を用いることなく、ベルトにスマートに固定するクリ      ップ付き携帯電話を提供する点にある。
【課題を解決するための手段】
【０００６】      この課題を解決するため、請求項１の発明は、携帯電話の背部に、クリップを装着      したことを特徴とするものである。クリップそのものの弾力を利用して、ポケツト      の淵を挟んで固定する。クリップの材質は、金属が合成樹脂等が望ましい。【０００７】      この課題を解決するため、請求項２の発明は、携帯電話の背部につまみを設けたク      リップを装着したことを特徴とするものである。クリップは支点軸にばねを巻き付      けたものを使用している。クリップの材質は、金属か合成樹脂等が望ましい。【０００８】      請求項３の発明は、携帯電話の背部に、ベルト装着用クリップを直角方向に設けた      ことを特徴とするものである。クリップその物の弾力を利用して、ベルトに挟んで      固定する。【０００９】      請求項４の発明は、請求項１に係るものにおいて、クリップが取り付け、取り外し      が可能な様、取り付け手段を介してクリップを設けたものである。【００１０】      請求項５の発明は、請求項２に係るものにおいて、クリップが取り付け、取り外し      が可能な様、取り付け手段を介してクリップを設けたものである。【００１１】      請求項６の発明は、請求項３に係るものにおいて、クリップが取り付け、取り外し      が可能な様、取り付け手段を介してクリップを設けたものである。【００１２】      取り付け手段としては、ビスどめや、はめ込み式、接着式などいろいろ採用できる      。また、ＰＨＳやデジタルカメラにクリップを装着することもできる。
【発明の効果】
【００１３】      請求項１に係るクリップ付き携帯電話を使用する場合は、クリップ部材そのものの      弾力を利用して、ポケットの淵等に挟んで固定する。ゆえに、お辞儀をしたり、動      いたりしても、ポケットから脱落することがない。また、クリップを緩めれば、対      象となる物から自在に外すことができる。【００１４】      請求項２に係るクリップ付き携帯電話を使用する場合は、つまみ部をつまんではさ      み部を広げ、ポケットの淵等にはさみ部を挟んで固定する。
お辞儀をしたり、動いたりしても、ポケットから脱落することがない。
つまみをつまんで、クリップを緩めれば、対象となる物から自在に外すことができ      る。ばねを用いて、クリップを形成しているので、より強力に固定することができ      る。つまみがあるので、より的確に、取り付け、取り外しができる。【００１５】      請求項３に係るクリップ付き携帯電話を使用する場合は、クリップ部材そのものの      弾力を利用して、ベルトに挟んで固定する。その結果、携帯電話がベルトに対し、      平行になり、見た目も良く、しゃがんだり、座ったりしても、体にぶつかることは      なく、違和感がない。クリップを緩めれば、自在に外すことができる。【００１６】      請求項４、５、６に係るクリップ付き携帯電話を使用する場合は、クリップが取り      外し可能なので、必要に応じて取り付けたり、外したりすることができる。
使用目的に応じて使い分けができるので、クリップが邪魔になることはない。
【発明を実施するための最良の形態】
【００１７】      本発明を実施するための最良の形態を図１に基づいて説明する。携帯電話１の背部      にはさみ部３と、つまみ部４を備えたクリップ２を設ける。クリップ２には支点軸      ５に、ばね６を巻き付けている（図２）。つまみ４をつまんだり、緩めたりして、      はさみ部３を自在に開閉させ、ポケットなどの対象となる物に挟んで固定したり、      外したりする。クリップ２で固定するので、ポケットから落ちることもない。クリ      ップ２を緩めれば、自在に外す事ができる。【００１８】    クリップの材料としては、金属が好ましいが、プラスチックなどの合成樹脂、その他    を用いても良い。クリップの機構としても、ばねを用いる以外にも、いろいろな方法    が考えられることは、言うまでもない。ばねの用い方にしても、いろいろな方法があ    ることは、言うまでもない。また、携帯電話に限らず、ＰＨＳ、デジタルカメラにも    クリップを装着できる。
【実施例１】
【００１９】      実施例１を図３に基づいて説明する。携帯電話１の背部に、別に制作したベルト通      しクリップを直角方向に接着して取り付けたものである。クリップ７は、そのもの      自体が弾性体の役割を果たすものであり、ばねは装着されていない。実施例１のも      のをベルトに装着した時、、携帯電話は、ベルトの巻かれている方向を向く。ゆえ      に、しゃがんだり、座ったりしても携帯電話が、体に触れる事はないので邪魔にな      らない。また、収納部材を用いないので、煩わしくない。
このように、別に制作したクリップを後で取り付けることもできる。
【実施例２】
【００２０】      実施例２を図４、５に基づいて説明する。携帯電話１の背部と、クリップ２が、取      り付け、取り外し、が可能な様に、取り付け手段を設けたものである。
携帯電話１の背部に、雌ねじ８を４ヵ所設ける。クリップ２の支柱に、雄ねじ９が      貫通する穴１０を４ヵ所設ける。雄ねじ９をクリップの支柱の穴１０に通し、携帯      電話に設けた雌ねじ８にねじ込んで固定する。また、クリップ２の支点軸５には、      ばねの代わりに、Ｕ字型の弾性体１１が設けられている（図５）。このような機構      のクリップも採用できる。
【実施例３】
【００２１】      実施例３を図６に基づいて説明する。携帯電話１の背部と、クリップ２に対し、ク      リップが取り外し、取り付け可能な様に、取り付け手段を設けたものである。
携帯電話１の背部に、クリップ２の支柱１２が収納できる溝１３を設ける。溝１３      の両側面に穴１４が２ヵ所設けられている。溝１３は、図７に示すように、台形を      成している。クリップ２の支柱１２も、溝１３にはまるように、台形を形成してい      る。支柱１２の両側面には、溝１３に設けた穴１４にはまる出入り自由な突起物１      ５が設けてある。携帯電話の溝１３にクリップの支柱１２を突起物１５がはまるま      ではめる。実施例３は、以上のごとく構成された、クリップの取り付け手段がはめ      込み式のものである。実施例３においては、クリップの支点軸にばねを巻き付ける      代わりにつまみ部の間にばね１６を装着した。このようなクリップも採用できる
【図面の簡単な説明】
【００２２】
【図１】      この発明を実施するための最良の形態を示す斜視図である。
【図２】      この発明を実施するための最良の形態を示す分解斜視図である。
【図３】      実施例１を示す斜視図である。
【図４】      実施例２を示す斜視図である。
【図５】      実施例２を示す分解斜視図である。
【図６】      実施例３を示す斜視図である。
【図７】      実施例３を示す分解斜視図である。
【図８】      従来のストラップ付き携帯電話の斜視図である。
【図９】      従来のくびひも付き携帯電話の斜視図である。
【符号の説明】
【００２３】      １    携帯電話
２    クリップ
３    はさみ部
４    つまみ部
５    支点軸
６    ばね
７    ベルト通しクリップ
８    雌ねじ
９    雄ねじ
１０  穴
１１  Ｕ字型弾性体
１２  支柱
１３  溝
１４  穴
１５  突起物
１６  ばね
１７  ストラップ
１８  くびひも
【図１】
2009017518.tif 000003
【図２】
2009017518.tif 000004
【図３】
2009017518.tif 000005
【図４】
2009017518.tif 000006
【図５】
2009017518.tif 000007
【図６】
2009017518.tif 000008
【図７】
2009017518.tif 000009
【図８】
2009017518.tif 000010
【図９】
2009017518.tif 000011